(57)【特許請求の範囲】
【請求項１】
搬送状態の原稿の表面及び裏面を原稿台の第１原稿読取領域にて読み取る第１読取光学部と第２読取光学部とが互いに上記原稿の両面側にそれぞれ設けられ、
上記第１読取光学部は原稿カバーと一体に固定して設けられて該原稿カバーと共に開閉される一方、他方の上記第２読取光学部は、上記原稿台の下側にて移動自在に設けられて、上記第１原稿読取領域にて搬送状態の上記原稿を静止して読み取るか又は上記原稿台の第２原稿読取領域にて載置状態の上記原稿の片面のみを移動しながら読み取り、
上記原稿台の上記第１原稿読取領域における上記原稿の搬送面よりも下側には、上記第１読取光学部のシェーディング補正を行うための第１基準白板が設けられ、かつ、上記原稿台の上記第２原稿読取領域における上記原稿の載置面と同一面上には、上記第２読取光学部のシェーディング補正を行うための第２基準白板が設けられ、
上記第２読取光学部における上記第２基準白板の白レベルデータの取得は、電源ＯＮ時に上記原稿カバーの開閉に係わらず行い、他方の上記第１読取光学部における上記第１基準白板の白レベルデータの取得は、両面自動読取りを行う場合に行い、かつ、その場合であっても上記原稿カバーが開いているときには行わず、該原稿カバーが閉じているときに行うように制御する制御手段が設けられており、
前記制御手段は、上記第２読取光学部による上記第２基準白板の前記白レベルデータの取得を行った後、前記第１読取光学部による前記第１基準白板の前記白レベルデータの取得を行うときに前記原稿カバーが開いているときには、該第１基準白板の該白レベルデータの取得を行わず、上記原稿カバーが閉じられたときに該第１基準白板の該白レベルデータの取得を行うことを特徴とする原稿読取装置。
【請求項２】
前記制御手段は、前記原稿カバーが開いているときに該原稿カバーが開いていることを知らせる報知手段を備えていることを特徴とする請求項１記載の原稿読取装置。
【発明の詳細な説明】
【０００１】
【発明の属する技術分野】
本発明は、スキャナ装置や複写機等の原稿読取装置に関するものである。
【０００２】
【従来の技術】
例えば、スキャナ装置やデジタル複写機等の原稿読取装置においては、読取光学系にて読み取った原稿に対して、画像補正を施した後に印字処理を行うようになっている。
【０００３】
この画像補正の一つにシェーディング補正がある。上記シェーディング補正は、原稿読取装置にて原稿を読み取った際の照度ムラ、照明ムラ及びレンズの明るさムラ等を補正するものである。
【０００４】
上記のシェーディング補正の方法としては、先ず、基準白板を読み取る。このときの画像データをシェーディングデータとしてメモリに一旦格納した後、ＣＰＵによってシェーディング補正データを算出し、再びメモリに格納する。そして、次に、原稿を読み取ったときに、読み取った画像データに対して上記のシェーディング補正データを掛け合わせることにより、読み取りデータを常に一定の基準白板を基準としたデータとすることができる。
【０００５】
ところで、従来の原稿読取装置では、読取光学系のトラブル時には、シェーディング補正ができないため、デジタル複写機の画像形成動作を停止するようになっている。
【０００６】
例えば、特開平８−３２８４４７号公報に開示された原稿読取装置では、原稿読み取り部の上方を覆うカバー体の閉止が不完全な状態で白レベルデータを読み取りする不具合を防止するため、ファクシミリ装置の電源スイッチをＯＮすると自動的にＣＣＤ(Charge Coupled Device) スキャナが作動する一方、ＣＣＤスキャナに対峙してカバー体に配置された被検出体の表面の黒線が認識されないときは、カバー体の閉止が不完全であることつまりカバー体が開いている旨をユーザに報知し、被検出体表面の白レベルをＣＣＤスキャナで読み取らないようになっている。
【０００７】
逆に、黒線が認識されるときには、カバー体が開いている旨の表示を消灯し、ＣＣＤスキャナにて自動的に白レベルのデータを読み取って記憶するように制御することが提案されている。
【０００８】
【発明が解決しようとする課題】
しかしながら、上記従来の原稿読取装置は、基準白板を取り付けたカバー体と原稿の読み取りを行う読取光学系とが別体に設けられており、カバー体を開けた状態では、正常な白レベルのデータの読み取りを行うことができないために、このような手段を採用しているものである。
【０００９】
したがって、基準白板がカバー体に取り付けられておらず、原稿の読み取りを行う読取光学系と基準白板とが一体、つまりいずれもが原稿載置台側に設けられている場合には、必ずしもカバー体の開閉判断をする必要がないという問題点を有している。
【００１０】
すなわち、基準白板がカバー体に取り付けられておらず、原稿の読み取りを行う読取光学系と基準白板とが一体、つまりいずれもが原稿載置台側に設けられている場合には、カバー体が開いているときであっても、原稿の読み取りを行いかつシェーディング補正を行えることが必要である。
【００１１】
ただし、上記構成の原稿読取装置が、さらに、基準白板を取り付けたカバー体と原稿の読み取りを行う読取光学系とが別体に設けられた構成を有する場合には、さらに制御が複雑となる。また、２つの読取光学系のシェーディング補正を行う必要があるので、適切にシェーディング補正を行わないと待ち時間が長くなるおそれがある。
【００１２】
本発明は、上記従来の問題点に鑑みなされたものであって、その目的は、２つの読取光学部を備え、かつ各読取光学部が原稿カバー側と原稿台側との両方にそれぞれ設けられている場合に、基準白板の白レベルデータの取得を正確かつ適切に行い得る原稿読取装置を提供することにある。
【００１３】
【課題を解決するための手段】
本発明の原稿読取装置は、上記課題を解決するために、搬送状態の原稿の表面及び裏面を原稿台の第１原稿読取領域にて読み取る第１読取光学部と第２読取光学部とが互いに上記原稿の両面側にそれぞれ設けられ、上記第１読取光学部は原稿カバーと一体に固定して設けられて該原稿カバーと共に開閉される一方、他方の上記第２読取光学部は、上記原稿台の下側にて移動自在に設けられて、上記第１原稿読取領域にて搬送状態の上記原稿を静止して読み取るか又は上記原稿台の第２原稿読取領域にて載置状態の上記原稿の片面のみを移動しながら読み取り、上記原稿台の上記第１原稿読取領域における上記原稿の搬送面よりも下側には、上記第１読取光学部のシェーディング補正を行うための第１基準白板が設けられ、かつ、上記原稿台の上記第２原稿読取領域における上記原稿の載置面と同一面上には、上記第２読取光学部のシェーディング補正を行うための第２基準白板が設けられ、上記第２読取光学部における上記第２基準白板の白レベルデータの取得は、電源ＯＮ時に上記原稿カバーの開閉に係わらず行い、他方の上記第１読取光学部における上記第１基準白板の白レベルデータの取得は、上記原稿カバーが開いているときには行わず、該原稿カバーが閉じたときに行うように制御する制御手段が設けられていることを特徴としている。
【００１４】
上記の発明によれば、原稿読取装置には、搬送状態の原稿の表面及び裏面を原稿台の第１原稿読取領域にて読み取る第１読取光学部と第２読取光学部とが互いに原稿の両面側にそれぞれ設けられる。そして、上記第１読取光学部は原稿カバーと一体に固定して設けられて該原稿カバーと共に開閉される一方、他方の上記第２読取光学部は、上記原稿台の下側にて移動自在に設けられて、上記第１原稿読取領域にて搬送状態の上記原稿を静止して読み取るか又は上記原稿台の第２原稿読取領域にて載置状態の上記原稿の片面のみを移動しながら読み取る。
【００１５】
すなわち、原稿読取装置は、第１読取光学部と第２読取光学部との２つの読取光学部を有している。
【００１６】
そして、この原稿読取装置では、原稿の両面読み取りを行うときには、搬送原稿を第１原稿読取領域にて第１読取光学部及び第２読取光学部によって同時に読み取ることができる。このとき、第１読取光学部及び第２読取光学部は、いずれも静止状態にて搬送原稿を読み取る。
【００１７】
また、この原稿読取装置では、原稿の片面読み取りを行うときには、原稿台の下側にて移動自在に設けられた第２読取光学部が、原稿台の第２原稿読取領域にて載置状態の原稿の片面のみを移動しながら読み取る。
【００１８】
ここで、原稿を読み取るときには、シェーディング補正のための基準白板の白レベルデータの取得が必要となるが、２つの読取光学系の基準白板の白レベルデータの取得を行う必要があるので、適切に基準白板の白レベルデータの取得を行わないと待ち時間が長くなるおそれがあるとともに、基準白板の白レベルデータの取得のミスを生じるおそれがある。
【００１９】
これに対して、本発明では、制御手段は、第１読取光学部の第１基準白板の白レベルデータの取得を、原稿カバーが開いているときには行わず、原稿カバーが閉じたときに行うように制御する。
【００２０】
すなわち、第１読取光学部は原稿カバーと一体に固定して設けられ、かつ、原稿台の第１原稿読取領域における原稿の搬送面よりも下側には、第１読取光学部のシェーディング補正を行うための第１基準白板が設けられているので、第１読取光学部における第１基準白板の白レベルデータの取得を行うときには、原稿カバーの開閉状態が問題となるが、この制御手段の制御により、適切に第１基準白板の白レベルデータの取得を行うことができる。また、これによって、正確に白レベルデータを読み取ることができる。
【００２１】
一方、第２読取光学部は、原稿台の下側にて移動自在に設けられ、かつ第２読取光学部のシェーディング補正を行うための第２基準白板も原稿台の第２原稿読取領域における原稿の載置面と同一面上に設けられるので、第２読取光学部及び第２基準白板のいずれも原稿カバー側には設けられていないため、第２基準白板の白レベルデータの取得に際して、原稿カバーの開閉状態は問題とならない。
【００２２】
そこで、制御手段は、第２読取光学部の第２基準白板の白レベルデータの取得を、電源ＯＮ時に原稿カバーの開閉に係わらず行う。
【００２３】
この結果、第１読取光学部と第２読取光学部との２つの読取光学部を備えた原稿読取装置に対して、適切に基準白板の白レベルデータの取得を行うので待ち時間が長くなることもない。また、基準白板の白レベルデータの取得のミスも生じない。
【００２４】
したがって、２つの読取光学部を備え、かつ各読取光学部が原稿カバー側と原稿台側との両方にそれぞれ設けられている場合に、基準白板の白レベルデータの取得を正確かつ適切に行い得る原稿読取装置を提供することができる。
【００２５】
また、本発明の原稿読取装置は、上記課題を解決するために、上記記載の原稿読取装置において、前記制御手段は、前記原稿カバーが開いているときに該原稿カバーが開いていることを知らせる報知手段を備えていることを特徴としている。
【００２６】
上記の発明によれば、制御手段は、原稿カバーが開いているときは、原稿カバーが開いていることを知らせる報知手段を備えている。
【００２７】
このため、ユーザは、報知手段による原稿カバーが開いていることの知らせにより、その旨を知ることができる。
【００２８】
これにより、ユーザは、装置が停止している理由が、原稿カバーが開いていることにあることを直ちに理解できるので、直ちに原稿カバーを閉じるようになる。この結果、原稿読み取り時における処理時間の増大を防止することができる。
【００２９】
また、本発明の原稿読取装置は、上記記載の原稿読取装置において、前記制御手段は、前記第２読取光学部による前記第２基準白板の前記白レベルデータの取得を行った後、前記第１読取光学部による前記第１基準白板の前記白レベルデータの取得を行うときに前記原稿カバーが開いているときには、該第１基準白板の該白レベルデータの取得を行わず、上記原稿カバーが閉じられたときに該第１基準白板の該白レベルデータの取得を行うことを特徴としている。
【００３０】
上記の発明によれば、制御手段は、前記第２読取光学部による前記第２基準白板の前記白レベルデータの取得を行った後、前記第１読取光学部による前記第１基準白板の前記白レベルデータの取得を行うときに前記原稿カバーが開いているときには、該第１基準白板の該白レベルデータの取得を行わず、上記原稿カバーが閉じられたときに該第１基準白板の該白レベルデータの取得を行う。
【００３１】
このため、ユーザが原稿カバーを閉じると、制御手段が直ちに第１基準白板の白レベルデータの取得を開始するので、原稿読み取り時における処理時間の増大を防止することができる。
【００３２】
本発明の原稿読取装置は、上記課題を解決するために、上記記載の原稿読取装置において、前記制御手段は、前記第２読取光学部による前記第２基準白板の前記白レベルデータの取得を行った後、前記第１読取光学部による前記第１基準白板の前記白レベルデータの取得を行うときに前記原稿カバーが開いているときには、該第１基準白板の該白レベルデータの取得を行わず、上記原稿カバーを開いていることを報知することを特徴としている。
【００３３】
上記の発明によれば、制御手段は、前記第２読取光学部による前記第２基準白板の前記白レベルデータの取得を行った後、前記第１読取光学部による前記第１基準白板の前記白レベルデータの取得を行うときに前記原稿カバーが開いているときには、該第１基準白板の該白レベルデータの取得を行わず、上記原稿カバーを開いていることを報知するので、第１基準白板の白レベルデータの取得のミスを防止することができる。
【００３４】
また、ユーザは、原稿カバーが開かれたことの知らせにより、その旨を知ることができる。
【００３５】
これにより、ユーザは、装置が停止している理由が、原稿カバーが開かれたことにあることを直ちに理解できるので、直ちに原稿カバーを閉じるようになる。この結果、原稿読み取り時における処理時間の増大を防止することができる。
【００３６】
【発明の実施の形態】
本発明の実施の一形態について図１ないし図６に基づいて説明すれば、以下の通りである。
【００３７】
本実施の形態の原稿読取装置を備える例えばデジタル複写機３０は、図２に示すように、大きく分けて原稿読取装置としてのスキャナ部３１とレーザ記録部３２との２つから構成されている。
【００３８】
上記スキャナ部３１は、透明ガラスからなる原稿台としての原稿載置台３５と、この原稿載置台３５上へ自動的に原稿を供給搬送するための原稿カバーとしての両面対応自動原稿送り装置（以下、「ＤＳＰＦ：Duplex Single Pass Feeder 」という）３６と、原稿載置台３５上に載置された原稿の画像を走査して読み取るための原稿画像読み取りユニット、すなわちスキャナユニット４０とから構成されている。
【００３９】
上記のスキャナ部３１にて読み取られた原稿画像は、画像データとして後述する画像データ入力部へと送られ、画像データに対して所定の画像処理が施される。
【００４０】
上記ＤＳＰＦ３６は、備えられた図示しない原稿トレイ上に複数枚の原稿を一度にセットしておき、セットされた原稿を１枚ずつ自動的に原稿載置台３５上へ給送する装置である。このＤＳＰＦ３６は、オペレータの選択に応じて原稿の片面又は両面をスキャナユニット４０に読み取らせるように、片面原稿のための搬送経路、両面原稿のための搬送経路、搬送経路切り換え手段、各部を通過する原稿の状態を把握し管理するセンサ群、及び制御部等から構成されている。ＤＳＰＦ３６については、従来から多くの出願、商品化がなされているので、後述する本発明の特徴部分を除いて、これ以上の説明は省略する。
【００４１】
次に、原稿載置台３５上の原稿の画像を読み取るためのスキャナ部３１の一つを構成するスキャナユニット４０は、原稿面上を露光するランプリフレクターアセンブリ４１と、原稿からの反射光像を光電変換素子（以下、「ＣＣＤ(Charge Coupled Device）素子」という）４４に導くための原稿からの反射光を反射する第１の反射ミラー４２ａを搭載してなる第１の走査ユニット４０ａと、第１の反射ミラーユニット４０ａからの反射光像を上記ＣＣＤ素子４４に導くための第２反射ミラー４２ｂ及び第３反射ミラー４２ｃを搭載してなる第２の走査ユニット４０ｂと、原稿からの反射光像を上述した各反射ミラーを介して電気的画像信号に変換するＣＣＤ素子４４上に結像させるための光学レンズ４３と、原稿からの反射光像を電気的画像信号に変換する上述したＣＣＤ素子４４とからなっている。
【００４２】
上記のスキャナ部３１は、上記ＤＳＰＦ３６とスキャナユニット４０の関連した動作により、原稿載置台３５上に読み取るべき原稿を順次載置させながら、原稿載置台３５の下面に沿ってスキャナユニット４０を移動させて原稿画像を読み取るように構成されている。特に、第１走査ユニット４０ａは、原稿載置台３５に沿って左から右へと一定速度Ｖで走行され、また、第２走査ユニット４０ｂは、その速度Ｖに対してＶ／２の速度で同一方向に平行に走査制御される。
【００４３】
これにより、原稿載置台３５上に載置された原稿の画像を１ライン毎に順次ＣＣＤ素子４４へと結像させて画像を読み取ることができる。
【００４４】
原稿画像をスキャナユニット４０にて読み取ることにより得られた画像データは、図示しない画像処理部へ送られ、各種処理が施された後、画像処理部のメモリに一旦記憶され、出力指示に応じてメモリ内の画像を読み出してレーザプリンタ部３２に転送して記録用紙上に画像を形成させる。
【００４５】
上記レーザプリンタ部３２は、画像を形成させるための記録材である用紙の搬送系５０と、レーザ書き込みユニット４６と画像を形成するための電子写真プロセス部４７とを備えている。
【００４６】
レーザ書き込みユニット４６は、上述したスキャナユニット４０にて読み取った後のメモリから読み出した画像データ又は外部の装置から転送されてきた画像データに応じてレーザ光を出射する半導体レーザ光源と、レーザ光を等角速度偏向するポリゴンミラーと、等角速度で偏向されたレーザ光が電子写真プロセス部４７を構成する感光体ドラム４８上で等角速度で偏向されるように補正するｆ−θレンズ等とを有している。
【００４７】
上記電子写真プロセス部４７は、周知である感光体ドラム４８の周囲に帯電器、現像器、転写器、剥離器、クリーニング器及び除電器を備えている。
【００４８】
一方、用紙の搬送系５０は、上述した画像形成を行う電子写真プロセス部４７の特に転写器が配置された転写位置へと用紙を搬送する搬送部３３と、この搬送部３３へと用紙を送り込むためのカセット給紙装置５１・５２・５３又は必要なサイズの用紙を適宜給紙するための手差し給紙装置５４と、転写後の用紙に形成された画像つまりトナー像を定着するための定着器４９と、定着後の用紙の裏面に再度画像を形成するために用紙を再供給するための再供給経路５５とを備えている。
【００４９】
また、上記定着器４９の下流側には、画像が記録された用紙を受け取り、この用紙に対して所定の処理を施す後処理装置３４が配置されている。
【００５０】
上記のレーザ記録部３２では、画像メモリから読み出された画像データは、レーザ書き込みユニット４６によってレーザ光線を走査させることにより電子写真プロセス部４７の感光体ドラム４８の表面上に静電潜像として形成され、トナーにより可視像化されたトナー像は多段給紙ユニットのいずれかの給紙部から搬送された用紙の面上に静電転写され定着される。
【００５１】
このようにして画像が形成された用紙は、定着器４９から排紙ローラ５７を経由して後処理装置３４内へと搬送される。
【００５２】
以上が、デジタル複写機３０の概要である。
【００５３】
次に、本実施の形態の原稿読取装置であるスキャナ部３１について、詳細に説明する。
【００５４】
先ず、図３に示すように、スキャナ部３１におけるＤＳＰＦ３６は、ヒンジ３６ａにより開閉できる構造になっているとともに、ＳＰＦ(Single Pass Feeder)開閉検知センサ５により開閉が検知されるようになっている。
【００５５】
ところで、本実施の形態のスキャナ部３１は、図４に示すように、原稿載置台３５に対して上下の両方に光学系が設けられており、上側には、ＤＳＰＦ３６に対して固定位置となっている第１読取光学部１５が設けられる一方、下側には原稿載置台３５の下側で水平移動可能な第２読取光学部１６が設けられている。なお、この第２読取光学部１６は、前記第１の走査ユニット４０ａと同じものであるが、本発明との整合性を持たすため、ここでは、部材名を変えて説明する。
【００５６】
上記の光学系を２個有するスキャナ部３１において、両面自動原稿読取りを行う場合には、第２読取光学部１６が同図において左側に示す第１原稿読取領域に移動することにより、上記第１読取光学部１５及び第２読取光学部１６の両方により、この原稿載置台３５における第１原稿読取領域にて搬送される原稿の両面を同時に読み取るようになっている。
【００５７】
すなわち、より詳細に述べると、原稿を両面自動読取りするときには、先ず、原稿載置台３５ａの原稿載置検知センサ３に置かれた原稿は、原稿ストッパー１２の開放と、給紙ローラ６、用紙ピックアップ爪１０及びレジストローラ１１の駆動とにより、第１原稿読取領域まで搬送され、原稿の両面側にそれぞれ置かれた第１読取光学部１５と第２読取光学部１６との間を通過させられる。そして、これら第１読取光学部１５及び第２読取光学部１６をそれぞれ通過するときに、原稿の両面がそれぞれ読み取られ、その後、読み取られた原稿は排紙トレイ１４に放出される。
【００５８】
ここで、本実施の形態のＤＳＰＦ３６では、レジストローラ１１の手前にレジストローラ前センサ４を設けるとともに、第１読取光学部１５の手前に原稿先端検知センサ７を設け、さらに、第２読取光学部１６の後に出紙センサ８を設けている。また、原稿載置台３５における第１原稿読取領域において下側には、済スタンプ１３が設けられている。
【００５９】
さらに、ＤＳＰＦ３６には、シェーディング補正のための基準となる白板が２個設けられている。
【００６０】
先ず、１個目の白板として、第１読取光学部１５のシェーディング補正を行うための第１基準白板１７が、原稿載置台３５の第１原稿読取領域におけるガラス下面に設けられている。２個目の白板としては、第２読取光学部１６のシェーディング補正を行うための第２基準白板１８が、原稿載置台３５の第２原稿読取領域におけるガラス面に設けられている。したがって、第２読取光学部１６は、第１原稿読取領域に存在していたとしても、シェーディング補正するときには、第２原稿読取領域に移動して、第２基準白板１８を読み取ることにより行うものとなっている。
【００６１】
なお、上記の第２基準白板１８は、原稿載置台３５におけるガラスの上面からの距離を、原稿における原稿載置台３５のガラスの上面からの距離と等距離にして置くことが可能である。
【００６２】
このように、上記第２基準白板１８の位置は第２読取光学部１６から原稿までの距離と同じであるが、これに対して、第１基準白板１７はガラスの下面にあるため、第１読取光学部１５から原稿までの距離よりガラスの厚みだけ長くなっている。
【００６３】
このようにしているのは、原稿と同じ側に第１基準白板１７を置くと、原稿の通過により白板が汚れたり、ゴミやほこりが付着するので、これを防止するためである。
【００６４】
一方、上記のスキャナ部３１において、原稿の片面のみを自動的に読み取るときには、図５に示すように、図示しない原稿トレイに載置された原稿が、原稿載置台３５の第２原稿読取領域に搬送され、その領域で停止させられる。
【００６５】
これによって、第２読取光学部１６が、第２原稿読取領域において、原稿載置台３５の下側を水平に移動して、原稿載置台３５に載置状態となっている原稿の片面のみを読み取る。
【００６６】
次に、シェーディング補正時の処理について、図１に示すフローチャートに基づいて説明する。
【００６７】
先ず、電源スイッチをＯＮすると、第２読取光学部１６はシェーディング補正のための第２基準白板１８の白レベルデータの取得を開始する（Ｓ１）。具体的には、第２読取光学部１６は、先ず、第２基準白板１８の下に移動して白レベルを読み取る。これにて、片面読み取りの場合は、いつでも適正なシェーディング補正データを得ることができる。
【００６８】
次に、両面自動読み取りを行う場合には、第１読取光学部１５は、ＳＰＦ開閉検知センサ５によりＳＰＦが閉じていることつまりＤＳＰＦ３６が閉じていることを確認して（Ｓ２）、第１基準白板１７の白レベルを読み取り（Ｓ３）、そのデータを記憶する（Ｓ４）。
【００６９】
一方、Ｓ２で、ＤＳＰＦ３６が開いているときは、第１基準白板１７の白レベルデータの取得を中断する（Ｓ５）。このとき、ＤＳＰＦ３６が開いていることを報知し、第１基準白板１７の白レベルの読み取りを行わない。なお、上記の報知方法は、例えば、デジタル複写機３０の図示しない操作表示部にて、ＤＳＰＦ３６が開いている旨を表示する方法や、表示灯を表示させる方法や、その他、その旨を音声にて知らせる方法等が可能である。
【００７０】
次いで、ＤＳＰＦ３６が閉じられてから、Ｓ３に移行して白レベルを読み取る。
【００７１】
これによって、両面自動読み取りの場合でも、正確なシェーディング補正のための基準白板の白レベルデータの取得を行うことができる。また、第２読取光学部１６における第２基準白板１８の白レベルデータの取得は、ＤＳＰＦ３６の開閉のいかんに係わらずいつでもできるので、ユーザを待たすことがない。
【００７２】
このように、本実施の形態のスキャナ部３１には、搬送状態の原稿の表面及び裏面を原稿載置台３５の第１原稿読取領域にて読み取る第１読取光学部１５と第２読取光学部１６とが互いに原稿の両面側にそれぞれ設けられる。そして、第１読取光学部１５はＤＳＰＦ３６と一体に固定して設けられて該ＤＳＰＦ３６と共に開閉される一方、他方の第２読取光学部１６は、原稿載置台３５の下側にて移動自在に設けられて、上記第１原稿読取領域にて搬送状態の原稿を静止して読み取るか又は原稿載置台３５の上記第２原稿読取領域にて載置状態の上記原稿の片面のみを移動しながら読み取る。
【００７３】
すなわち、スキャナ部３１は、第１読取光学部１５と第２読取光学部１６との２つの読取光学部を有している。
【００７４】
そして、このスキャナ部３１では、原稿の両面読み取りを行うときには、搬送原稿を第１原稿読取領域にて第１読取光学部１５及び第２読取光学部１６によって同時に読み取ることができる。このとき、第１読取光学部１５及び第２読取光学部１６は、いずれも静止状態にて搬送原稿を読み取る。
【００７５】
一方、このスキャナ部３１では、原稿の片面読み取りを行うときには、原稿載置台３５の下側にて移動自在に設けられた第２読取光学部１６が、原稿載置台３５の第２原稿読取領域にて載置状態の原稿の片面のみを移動しながら読み取る。
【００７６】
ここで、原稿を読み取るときには、シェーディング補正のための基準白板の白レベルデータの取得が必要となるが、２つの読取光学系の基準白板の白レベルデータの取得を行う必要があるので、適切に基準白板の白レベルデータの取得を行わないと待ち時間が長くなるおそれがあるとともに、基準白板の白レベルデータの取得のミスが生じるおそれがある。
【００７７】
これに対して、本実施の形態では、図６に示すように、制御部を構成する制御手段としてのＣＰＵ９は、第１読取光学部１５における第１基準白板１７の白レベルデータの取得を、ＤＳＰＦ３６が開いているときには行わず、ＤＳＰＦ３６が閉じたときに行うように制御する。
【００７８】
すなわち、第１読取光学部１５はＤＳＰＦ３６と一体に固定して設けられ、かつ、原稿載置台３５の第１原稿読取領域における原稿の搬送面よりも下側には、第１読取光学部１５のシェーディング補正を行うための第１基準白板１７が設けられているので、第１読取光学部１５における第１基準白板１７の白レベルデータの取得を行うときには、ＤＳＰＦ３６の開閉状態が問題となるが、この制御手段としてのＣＰＵ９の制御により、適切に第１基準白板１７の白レベルデータの取得を行うことができる。また、これによって、正確に白レベルデータを読み取ることができる。
【００７９】
一方、第２読取光学部１６は、原稿載置台３５の下側にて移動自在に設けられ、かつ第２読取光学部１６のシェーディング補正を行うための第２基準白板１８も原稿載置台３５の第２原稿読取領域における原稿の載置面と同一面上に設けられるので、第２読取光学部１６及び第２基準白板１８のいずれもＤＳＰＦ３６側には設けられていないため、第２基準白板１８の白レベルデータの取得に際して、ＤＳＰＦ３６の開閉状態は問題とならない。
【００８０】
そこで、制御手段としてのＣＰＵ９は、第２読取光学部１６における第２基準白板１８の白レベルデータの取得を、電源ＯＮ時にＤＳＰＦ３６の開閉に係わらず行う。
【００８１】
この結果、第１読取光学部１５と第２読取光学部１６との２つの読取光学部を備えたスキャナ部３１に対して、適切に基準白板の白レベルデータの取得を行うので待ち時間が長くなることもない。また、基準白板の白レベルデータの取得のミスも生じない。
【００８２】
したがって、２つの読取光学部を備え、かつ各第１読取光学部１５及び第２読取光学部１６のシェーディング補正を行うための基準白板がＤＳＰＦ３６側と原稿載置台３５下部側との両方にそれぞれ設けられている場合に、基準白板の白レベルデータの取得を正確かつ適切に行い得るスキャナ部３１を提供することができる。
【００８３】
また、本実施の形態のスキャナ部３１では、ＣＰＵ９は、ＤＳＰＦ３６が開いているときは、ＤＳＰＦ３６が開いていることを知らせる報知手段としての報知部９ａを備えている。
【００８４】
このため、ユーザは、報知部９ａによるＤＳＰＦ３６が開いていることの知らせにより、その旨を知ることができる。
【００８５】
これにより、ユーザは、デジタル複写機３０が停止している理由が、ＤＳＰＦ３６が開いていることにあることを直ちに理解できるので、直ちにＤＳＰＦ３６を閉じるようになる。この結果、原稿読み取り時における処理時間の増大を防止することができる。
【００８６】
また、本実施の形態のスキャナ部３１では、ＣＰＵ９は、第２読取光学部１６による第２基準白板１８の白レベルデータの取得を行った後、第１読取光学部１５による第１基準白板１７の白レベルデータの取得を行うときにＤＳＰＦ３６が開いているときには、第１基準白板１７の白レベルデータの取得を行わず、ＤＳＰＦ３６が閉じられたときに第１基準白板１７の白レベルデータの取得を行う。
【００８７】
このため、ユーザが原稿カバーを閉じると、ＣＰＵ９が直ちに第１基準白板１７の白レベルデータの取得を開始するので、原稿読み取り時における処理時間の増大を防止することができる。
【００８８】
また、本実施の形態のスキャナ部３１では、ＣＰＵ９は、第２読取光学部１６による第２基準白板１８の白レベルデータの取得を行った後、第１読取光学部１５による第１基準白板１７の白レベルデータの取得を行うときにＤＳＰＦ３６が開いているときには、該第１基準白板の該白レベルデータの取得を行わず、ＤＳＰＦ３６が開いていることを報知するので、第１基準白板１７の白レベルデータの取得のミスを防止することができる。
【００８９】
また、ユーザは、補正時報知部９ｃによるＤＳＰＦ３６が開かれたことの知らせにより、その旨を知ることができる。
【００９０】
これにより、ユーザは、デジタル複写機３０が停止している理由が、ＤＳＰＦ３６が開かれたことにあることを直ちに理解できるので、直ちにＤＳＰＦ３６を閉じるようになる。この結果、原稿読み取り時における処理時間の増大を防止することができる。
【００９１】
また、本実施の形態のスキャナ部３１では、ＤＳＰＦ３６とともに開閉する第１読取光学部１５を備え、ＤＳＰＦ３６が開いているときには、第１基準白板１７の白レベルデータの取得のミスを防止すべく第１基準白板１７の白レベルデータの取得を始めず、ＤＳＰＦ３６が閉じられたときに第１基準白板１７の白レベルデータの取得を始める制御をＣＰＵ９が行うようになっている。このため、第１基準白板１７の白レベルデータの取得のミスを防止することができる。
【００９２】
また、本実施の形態のスキャナ部３１では、第２読取光学部１６における第２基準白板１８を用いた白レベルデータの取得については、いつでも実施可能となっている。
【００９３】
これによって、精度の高いシェーディング補正が可能となる。
【００９４】
【発明の効果】
本発明の原稿読取装置は、以上のように、搬送状態の原稿の表面及び裏面を原稿台の第１原稿読取領域にて読み取る第１読取光学部と第２読取光学部とが互いに上記原稿の両面側にそれぞれ設けられ、上記第１読取光学部は原稿カバーと一体に固定して設けられて該原稿カバーと共に開閉される一方、他方の第２読取光学部は、上記原稿台の下側にて移動自在に設けられて、上記第１原稿読取領域にて搬送状態の上記原稿を静止して読み取るか又は上記原稿台の上記第２原稿読取領域にて載置状態の上記原稿の片面のみを移動しながら読み取り、上記原稿台の上記第１原稿読取領域における上記原稿の搬送面よりも下側には、上記第１読取光学部のシェーディング補正を行うための第１基準白板が設けられ、かつ、上記原稿台の上記第２原稿読取領域における上記原稿の載置面と同一面上には、上記第２読取光学部のシェーディング補正を行うための第２基準白板が設けられ、上記第２読取光学部における上記第２基準白板の白レベルデータの取得は、電源ＯＮ時に上記原稿カバーの開閉に係わらず行い、他方の上記第１読取光学部における上記第１基準白板の白レベルデータの取得は、上記原稿カバーが開いているときには行わず、該原稿カバーが閉じたときに行うように制御する制御手段が設けられているものである。
【００９５】
それゆえ、原稿読取装置は、第１読取光学部と第２読取光学部との２つの読取光学部を有している。
【００９６】
ここで、原稿を読み取るときには、シェーディング補正のための基準白板の白レベルデータの取得が必要となるが、２つの読取光学系の基準白板の白レベルデータの取得を行う必要があるので、適切に基準白板の白レベルデータの取得を行わないと待ち時間が長くなるおそれがあるとともに、基準白板の白レベルデータの取得のミスを生じるおそれもある。
【００９７】
これに対して、本発明では、制御手段は、第１読取光学部における第１基準白板の白レベルデータの取得を、原稿カバーが開いているときには行わず、原稿カバーが閉じたときに行うように制御する。
【００９８】
すなわち、第１読取光学部は原稿カバーと一体に固定して設けられ、かつ、原稿台の第１原稿読取領域における原稿の搬送面よりも下側には、第１読取光学部のシェーディング補正を行うための第１基準白板が設けられているので、第１読取光学部における第１基準白板の白レベルデータの取得を行うときには、原稿カバーの開閉状態が問題となるが、この制御手段の制御により、適切に第１基準白板の白レベルデータの取得を行うことができる。また、これによって、正確に白レベルデータを読み取ることができる。
【００９９】
一方、第２読取光学部及び第２基準白板のいずれも原稿カバー側には設けられていないため、第２基準白板の白レベルデータの取得に際して、原稿カバーの開閉状態は問題とならない。
【０１００】
そこで、制御手段は、第２読取光学部における第２基準白板の白レベルデータの取得を、電源ＯＮ時に原稿カバーの開閉に係わらず行う。
【０１０１】
この結果、第１読取光学部と第２読取光学部との２つの読取光学部を備えた原稿読取装置に対して、適切に基準白板の白レベルデータの取得を行うので待ち時間が長くなることもない。また、基準白板の白レベルデータの取得のミスも生じない。
【０１０２】
したがって、２つの読取光学部を備え、かつ各読取光学部が原稿カバー側と原稿台側との両方にそれぞれ設けられている場合に、基準白板の白レベルデータの取得を正確かつ適切に行い得る原稿読取装置を提供することができるという効果を奏する。
【図面の簡単な説明】
【図１】  本発明におけるデジタル複写機のスキャナ部の実施の一形態を示すものであり、シェーディング補正の動作を示すフローチャートである。
【図２】  上記デジタル複写機の全体概要を示す構成図である。
【図３】  上記デジタル複写機におけるスキャナ部の外観を示す構成図である。
【図４】  上記デジタル複写機におけるスキャナ部の内部の構造を示す概略構成図である。
【図５】  上記デジタル複写機における第１読取光学部及び第２読取光学部とこれらのシェーディング補正を行うための第１基準白板及び第２基準白板との位置関係を示す概略構成図である。
【図６】  上記デジタル複写機における制御部の構成を示すブロック図である。
【符号の説明】
５    ＳＰＦ開閉検知センサ
９    ＣＰＵ（制御手段）
９ａ  報知部（報知手段）
９ｂ  再開始部（再開手段）
９ｃ  補正時報知部（補正時報知手段）
１５    第１読取光学部
１６    第２読取光学部
１７    第１基準白板
１８    第２基準白板
３０    デジタル複写機
３１    スキャナ部（原稿読取装置）
３５    原稿載置台（原稿台）
３６    ＤＳＰＦ（原稿カバー）
３６ａ  ヒンジ
４０ａ  第１の走査ユニット（第２読取光学部）
【図１】
0003926537.tif 000002
【図２】
0003926537.tif 000003
【図３】
0003926537.tif 000004
【図４】
0003926537.tif 000005
【図５】
0003926537.tif 000006
【図６】
0003926537.tif 000007